(57)【要約】【課題】ＣＤやＤＶＤ並みに低価格でかつ通常の光ディスクドライブでの記録・再生が可能な光ディスク及び該光ディスク用ホルダセットを提供する。【解決手段】情報記録層１２を有する可撓性フィルムディスク２と、該フィルムディスクが重ねられる板状のホルダー３とを備え、該ホルダーの表面には、前記フィルムディスクの前記情報記録層における情報記録領域６が重ねられる位置に、前記フィルムディスクを剥離可能に貼り合わせる接着層１６が形成されている。【選択図】図１
2007310995.tif 000002
【特許請求の範囲】
【請求項１】
情報記録層を有する可撓性フィルムディスクと、該フィルムディスクが重ねられる板状のホルダーとを備え、該ホルダーの表面には、前記フィルムディスクの前記情報記録層における情報記録領域が重ねられる位置に、前記フィルムディスクを剥離可能に貼り合わせる接着層が形成されていることを特徴とする光ディスク。
【請求項２】
前記フィルムディスク及びホルダーの中央にはセンターホールが形成され、前記ホルダーの接着層は、前記センターホールの周辺の環状領域を避けて形成されていることを特徴とする請求項１記載の光ディスク。
【請求項３】
前記ホルダーの前記センターホール周辺部には、該センターホールを囲む環状突起が形成されるとともに、前記フィルムディスクには、ホルダーの前記環状突起を嵌合する環状凹部が形成されていることを特徴とする請求項２記載の光ディスク。
【請求項４】
前記ホルダーの外周部には、前記フィルムディスクを嵌合する環状壁部が立設されるとともに、該環状壁部の頂部に、前記接着層表面との間でフィルムディスクを挟む突起が半径内方に向けて形成されていることを特徴とする請求項１から３のいずれかに記載の光ディスク
【請求項５】
前記ホルダーの外周部表面及び前記フィルムディスクの外周部表面には、該フィルムディスクをホルダーの接着層に貼り合わせたときに係合状態となる突起と凹部とが周方向に間隔をおいて複数配設されていることを特徴とする請求項１から４のいずれかに記載の光ディスク
【請求項６】
情報記録層を有する可撓性フィルムディスクを剥離可能に貼り合わせる接着層を有する板状のホルダーと、該ホルダーを剥離可能に貼り合わせる接着層を有するクリーナー板とを備え、該クリーナー板の接着層は、ホルダーの接着層における接着力よりも大きい接着力を有していることを特徴とする光ディスク用ホルダセット。
【発明の詳細な説明】
【技術分野】
【０００１】
本発明は、可撓性フィルムディスクと該フィルムディスクが貼り合わせられる板状のホルダーとを備える光ディスクに係り、次世代光ディスクであるブルーレイディスクに用いて好適な光ディスクに関する。
【背景技術】
【０００２】
近年、光ディスクの大容量化が進んできており、ＤＶＤ（Digital Versatile Disc）よりもさらに高密度・大容量化したディスクとして、青紫色光源（波長４０５ｎｍ付近）を利用したブルーレイディスク（Blu-ray Disc：以下ＢＤと記す）が商品化されてきている。ＢＤは、ディスク表面から記録反射層までの透明樹脂層の厚さが０．１ｍｍ程度と非常に薄く、開口数（ＮＡ）が０．８５程度のレンズを用いて微細なレーザスポットを形成し、情報記録に情報の記録、又は再生を行う。ＢＤは片面単層記録で約２５Ｇバイト、片面２層記録で約５０ＧバイトとＤＶＤの約５倍の大容量メディアである。
【０００３】
ＢＤを製造する方法の説明をする。最初に、厚さ１．１ｍｍの基板上に情報記録層を形成する。次に、情報記録層上に、透明フィルムを貼り合わせたり、紫外線硬化樹脂を塗布したりすることで０．１ｍｍ厚のカバー層を作製し、総厚１．２ｍｍのＢＤとする方法がある。この方法では、製造工程が複雑であり、工程が多いという問題がある。樹脂シートを貼り合わせ、又は樹脂を塗布等の製造工程が複雑である。さらに、多層構造にするため、製造工程が多い。
【０００４】
また、別の方法では、最初に、透明フィルム（０．０７〜０．０９ｍｍ厚）上に情報記録層を形成し、総厚０．１ｍｍとする。次に、このフィルムと厚い基板（１．１ｍｍ厚）とを貼り合わせる方法により、総厚１．２ｍｍのＢＤを製造する方法がある。
【０００５】
しかし、情報記録パターン内に形成するピットは、長さが０．３〜０.１４９μｍ、深さが５０ｎｍと極めて小さいため、射出成形法での転写では限界に近く、かつ、ディスク表面から記録パターンまでの厚さの規格が０．１ｍｍと薄く制限されているため、製造工程での取扱いも難しく、ロスが生じ易い。
【０００６】
また、ディスク表面の傷・汚れに影響しやすいためハードコートが必須であり、さらに、貼り合わせ、樹脂塗布等の多層構成の工程において、ディスク表面から記録層までの厚さむらを±２μｍ公差内に抑えるように、高精度の厚さ制御が必要となる。ＢＤのカバーフィルムに使用されるポリカーボネイトフィルムは溶剤キャスト法（原料を溶剤で溶かしてフィルム状に広げ、溶剤を除去して膜とする方法）で作られるため、膜厚精度が良く、複屈折も小さいが、生産性が悪く、かつＢＤ製品の要求品質が高レベルのためロス率も高くなり、コスト高となる。
【０００７】
このＢＤが普及するにはＣＤ及びＤＶＤ並みにコスト削減が必須条件である。そこで、可撓性フィルムに情報記録層を形成した厚さ０．１ｍｍ程度のフレキシブル光ディスクが検討されている。
【０００８】
このフレキシブル光ディスクの記録再生方法としては、例えばベルヌーイの法則に基づいた安定化ガイドを使用する方法などが提案されている（特許文献１、特許文献２）。これは、高速で回転したフレキシブル光ディスクのピックアップと反対側にガイドを近づけることで、一定厚さの空気層が発生し、これによりフレキシブル光ディスクの反りやウネリ及び凹凸を矯正する方法である。
【０００９】
しかし、上記の方式では安定化ガイドが必要であり、ＢＤのような一般的光ディスクと互換性が無い。更に常時フレキシブル光ディスクを高回転させなければ、ベルヌーイの法則が成り立たなくなり、停止時や低回転時には自重でディスクが撓み、ピックアップまたは安定化ガイドと接触する可能性がある。ディスクの回転が停止または低回転時には、ディスクまたはピックアップまたは安定化ガイドを退避させることも技術的には可能であるが、コストアップの要因となる。
【特許文献１】特開２００３−２２６５１号公報
【特許文献２】特開２００３−６８０５０号公報
【発明の開示】
【発明が解決しようとする課題】
【００１０】
本発明は、ＣＤやＤＶＤ並みに低価格でかつ通常の光ディスクドライブでの記録・再生が可能な光ディスク及び該光ディスク用ホルダセットの提供を目的とする。
【課題を解決するための手段】
【００１１】
本発明は、上記の問題を解決するために、情報記録層を有する可撓性フィルムディスクと、該フィルムディスクが重ねられる板状のホルダーとを備え、該ホルダーの表面には、前記フィルムディスクの前記情報記録層における情報記録領域が重ねられる位置に、前記フィルムディスクを剥離可能に貼り合わせる接着層が形成されていることを特徴とする。
このような構成を採用し、これら可撓性フィルムディスクとホルダーとを貼り合わせたディスクをＢＤ規格の諸寸法に形成することにより、ＢＤ規格対応プレーヤーで再生可能となる。
【００１２】
また、この光ディスクにおいて、前記フィルムディスク及びホルダーの中央にはセンターホールが形成され、前記ホルダーの接着層は、前記センターホールの周辺の環状領域を避けて形成されている構成とするとよい。
すなわち、ホルダーとフィルムディスクとを位置合わせする際には、ホルダーのセンターホール周辺部にフィルムディスクのセンターホール周辺部を重ねて両方のセンターホール同士を位置合わせすることになるが、そのときにセンターホール周辺部には接着層がないので、ホルダー上でフィルムディスクを滑らせながら両者の位置合わせを行うことができる。
【００１３】
また、前記ホルダーの前記センターホール周辺部には、該センターホールを囲む環状突起が形成されるとともに、前記フィルムディスクには、ホルダーの前記環状突起を嵌合する環状凹部が形成されている構成としてもよく、さらに、前記ホルダーの外周部には、前記フィルムディスクを嵌合する環状壁部が立設されるとともに、該環状壁部の頂部に、前記接着層表面との間でフィルムディスクを挟む突起が半径内方に向けて形成されている構成とし、あるいは、前記ホルダーの外周部表面及び前記フィルムディスクの外周部表面には、該フィルムディスクをホルダーの接着層に貼り合わせたときに係合状態となる突起と凹部とが周方向に間隔をおいて複数配設されている構成としてもよい。
これらの構成とすることにより、ホルダーに接着したフィルムディスクのずれを確実に防止することができる。
【００１４】
また、このような光ディスク用ホルダセットとして、情報記録層を有する可撓性フィルムディスクを剥離可能に貼り合わせる接着層を有する板状のホルダーと、該ホルダーを剥離可能に貼り合わせる接着層を有するクリーナー板とを備え、該クリーナー板の接着層は、ホルダーの接着層における接着力よりも大きい接着力を有している構成のものを採用する。
このクリーナー板の接着層にホルダーの接着層を貼り合わせた後に両者を剥離することにより、ホルダーの接着層に付着したごみや汚れをクリーナー板の接着層に付着させることができる。
【発明の効果】
【００１５】
本発明によれば、情報記録層を有する可撓性フィルムディスクをホルダーに装着することにより、BD規格対応のプレーヤーで再生可能となる。この光ディスクは、ホルダーは繰り返し使用できるため、消費者は記録層を有するフィルムディスクのみ買い換えればよく、ブルーレイディスク−ロム（以下ＢＤ−ＲＯＭとする）の大幅な低価格化を実現できる。さらに、記録層を有するフィルムディスクは薄型で軽量であるため、多数のROMの持ち運びが容易でかつ保管場所も小さくて済むようになる。
【発明を実施するための最良の形態】
【００１６】
以下、本発明の実施形態について図面を用いて説明する。
この実施形態の光ディスクは、ＢＤ−ＲＯＭの規格に準じたディスクとして取り扱われるように設計されている。
【００１７】
この光ディスク１は、可撓性フィルムディスク２と、比較的剛性を有する板状のホルダー３とを重ねて貼り合わせた構成であり、図１に示すように、中央に位置決め用のセンターホール４がフィルムディスク２及びホルダー３を貫通して形成されている。
この光ディスク１は、例えば、外径が１２０ｍｍ、センターホール４の直径が１５ｍｍであり、図２にフィルムディスク２で示すように、センターホール４からその外側の直径３３mmまでの位置がクランプエリア５、さらに直径４２mmの位置から１１７mmまでの位置が情報記録領域６、その外側から直径１２０ｍｍまでがリムエリア７である。
【００１８】
前記フィルムディスク２は、可撓性フィルム基材１１の表面に情報記録層１２が形成されるとともに、該情報記録層１２の上に反射層１３が形成され、その上に保護層１４が形成された構成であり、厚さが約０．１ｍｍとされている。
フィルム基材１１としては、紫外線を透過するような高透明の材料でかつ低複屈折性の材料が使用され、例えば、ポリカーボネイト、ポリメチルメタクリレート及びトリアセチルセルロースなどが挙げられる。
【００１９】
また、情報記録層１２は、紫外線（UV）硬化性アクリル樹脂の層に原版スタンパーからピットを転写して紫外線硬化させたものである。
前記反射層１３は、ピットが形成された情報記録層１２に、スパッタ法若しくは蒸着法にてアルミニウム、銀又はそれらの合金のいずれかの薄膜を形成させて構成されている。
前記保護層１４は反射層１３の表面に粘着付保護フィルムを貼り付けて構成されている。
【００２０】
一方、前記ホルダー３は、図１に示すように、基材プレート１５の中央にセンターホール４が形成されるとともに、その周りを囲むように厚肉のリング状部１５ａが形成され、該リング状部１５ａの周囲の薄肉部分の表面に接着層１６が形成された構成とされており、リング状部１５ａと接着層１６とは表面が面一にされ、全体で例えば１．１ｍｍの厚さに形成されている。
基材プレート１５に使用できる材料は、平滑性を有する基材であれば光学的性質は問わないので、例えばポリカーボネイト又はポリエチレンテレフタレート、アクリル樹脂、紙等が使用できる。
【００２１】
また、基材プレート１５表面の接着層１６は、前記フィルムディスク２を重ねたときに該フィルムディスク２におけるクランプエリア５以外の部分である情報記録領域６及びリムエリア７に対応する領域に形成されている。この接着層１６は、再剥離可能な弱粘着剤が塗布されることによって形成されており、この粘着剤としては、例えば、ゴム系粘着剤、アクリル系粘着剤、シリコーン系粘着剤等いずれでもよいが、そのなかでも、環境に強く、任意の粘着特性にしやすいことからアクリル系粘着剤が適している。
【００２２】
また、再剥離可能な弱粘着剤の代替として、吸着性を有する樹脂としてもよい。これらの吸着性樹脂の場合、糊残りも少なく、再剥離性に優れる。吸着性の樹脂は、例えば、フジコピアン株式会社製フィックスフィルム（商品名）やポリスチレンーポリイソプレンのブロック構造を有するエラストマーである日本ゼオン製クインタック（商品名）が適している。本発明においては、この粘着、吸着を含めて接着と称している。
【００２３】
このように構成した光ディスク１は、流通時等には、フィルムディスク２のみを１枚ずつ、又は複数枚セットにして取り扱われ、記録・再生時には、図１の矢印で示すように、フィルムディスク２をホルダー３の接着層１６に貼り合わせて使用される。この貼り合わせ状態を図３に示しており、この状態においては、外径が１２０ｍｍ、センターホール４の直径が１５ｍｍ、総厚さが１．２ｍｍの通常のＢＤと同じ寸法となり、この貼り合わせ状態で通常のＢＤ規格対応プレーヤーで記録・再生が可能になる。
【００２４】
また、この貼り合わせ作業時においては、ホルダー３のクランプエリア５に対応するリング状部１５ａには接着層１６が設けられていないことにより、フィルムディスク２のセンターホール４をホルダー３のセンターホール４に位置合わせする際に、このリング状部１５ａの表面でフィルムディスク２を滑らせながら位置決めすることができ、その位置合わせ作業が容易になって、両者を正確に位置決めした状態で一体化することができる。
【００２５】
一方、図４は、ホルダー３のクリーナー板２１を示しており、このクリーナー板２１は、基材プレート２２の表面に強粘着剤を塗布してなる剥離可能な接着層２３が形成された構成である。この場合、該クリーナー２１の接着層２３に用いられる材料としては、例えば、ゴム系粘着剤、アクリル系粘着剤、シリコーン系粘着剤等の粘着剤や、フジコピアン株式会社製フィックスフィルム（商品名）や日本ゼオン製クインタック（商品名）等の吸着剤が使用可能であるが、ホルダー３の接着層１６における接着力よりも大きい接着力の材料が使用される。
【００２６】
そして、このクリーナー板２１の接着層２３にホルダー３の接着層１６を貼り合わせた後、これらを剥離すると、ホルダー３にごみの付着や汚れがある場合には、これらごみや汚れ等の異物がクリーナー板２１の接着層２３に接着され、ホルダー３の接着層１６表面がクリーニングされるものである。したがって、保管時等には、ホルダー３をクリーナー板２１に接着させておき、光ディスク１として使用する際にクリーナー板２１から剥離して使用すればよい。特に、フィルムディスク２が情報記録領域６に異物を噛み込んでホルダー３に接着されると、その部分でフィルムディスク２の表面に凹凸が生じて、記録、再生に支障をきたすが、クリーナー板２１によってホルダー３表面の異物を確実に除去することができるのである。
【００２７】
この場合、クリーナー板２１の接着層２３は複数層の積層構造としておき、繰り返しの使用により、最表面の接着層の接着力が低下したら、該最表面の接着層を剥離して新しい接着表面とすることができる構成としてもよい。
【００２８】
図５は本発明の第２実施形態を示しており、この光ディスク３１においては、ホルダー３２のクランプエリア（図２参照）の部分に、前記第１実施形態のリング状部１５ａよりも突出する環状突起３３を設け、一方、フィルムディスク３４側に環状突起３３を嵌合する環状凹部３５を設けることにより、両者の位置合わせ並びに位置合わせ後の位置ずれ防止対策として効果的である。
【００２９】
また、図６に示す第３実施形態のように、光ディスク４１のホルダー４２の外周部に周方向に沿う環状壁部４３を設け、その環状壁部４３の頂部を若干幅広に形成しておくことにより半径内方に向けた突起４４を形成し、接着層１６に貼りあわせたフィルムディスク４５を突起４４と接着層１６との間で挟み込むようにしてもよい。さらに、図７の第３実施形態に示すように、光ディスク５１のホルダー５２のリムエリア（図２参照）に周方向に間隔をおいて複数の突起５３を設け、フィルムディスク５４に突起５３を係合する凹部５５を設けた構成としてもよい。これらの構成とすることにより、ホルダー５２とフィルムディスク５４との位置合わせ及び位置ずれ防止対策として効果的である。これらのホルダーは射出成形又は紫外線硬化性樹脂によるUV成形にて成形可能である。
【実施例】
【００３０】
次に、本発明の光ディスクをＢＤ−ＲＯＭに適用した例を挙げて説明する。
フィルムディスク２のフィルム基材１１として厚さ９０μｍのポリカーボネートを使用し、その表面に５００ｃｐｓのアクリル系紫外線硬化樹脂を約１０μｍ厚さで塗工する。
フィルム基材１１の種類は、樹脂と密着性がよく、複屈折が小さく、紫外線を透過するような材料がよく、例えばアクリル（ＰＭＭＡ）、トリアセチルセルロース（ＴＡＣ）等が適当である。
【００３１】
また紫外線硬化樹脂の種類は、ラジカル重合反応する樹脂で、分子中にアクリロイル基を有するアクリル樹脂であり、エポキシアクリレート系，ウレタンアクリレート系，ポリエステルアクリレート系，ポリオールアクリレート系のオリゴマー、ポリマーと単官能・２官能・あるいは多官能重合性（メタ）アクリル系モノマー、例えばテトラヒドロフルフリルアクリレート，２ーヒドロキシエチルアクリレート，２ーヒドロキシー３ーフェノキシプロピルアクリレート，ポリエチレングリコールジアクリレート，ポリプロピレングリコールジアクリレート，トリメチロールプロパントリアクリレート，ペンタエリトリトールトリアクリレート，ペンタエリトリトールテトラアクリレートなどのモノマー、オリゴマー、ポリマーなどの混合物が使用できる。またその厚さは５〜５０μｍ、粘度は３００〜５０００ｃｐｓ程度が好ましい。
【００３２】
次に、シリンダーに巻かれたスタンパー（ともに図示略）を用いて、前記紫外線硬化樹脂層と、シリンダーのスタンパー表面を圧着させ、平面部で紫外線照射し硬化させ、剥離ロールで抱かせながら剥離することで、フィルム基材１１の片面にピットが転写された情報記録層１２が形成される。尚、駆動ロールは冷却効果をもたせるため、冷却水を通す構造とするのが良い。
【００３３】
次に粘着加工を施した厚さ３０μｍの平滑なニッケル箔を、反射層１３として情報記録層１２に貼り合せる。反射層用箔としては、記録・再生用レーザー波長に対し適当な反射率を有する材料であればよいが、表面の平滑性（Ｒａ）は３ｎｍ以下が必要で、１ｎｍ以下が好ましい。
この場合、一般的な光ディスクと同様に、ピット上にスパッタや蒸着等で反射膜を形成し、ピットの有無による光路長差を利用した反射光の打ち消し効果で信号を読み取る方式とするか、ニッケル箔を情報記録層の上に貼り合せることでできるピット状の空間部分と、樹脂部分との屈折率の差により発生する光学的光路長差で信号を読み取る方式のいずれをも採用することができる。後者の場合、窒素やアルゴンなどの不活性ガス雰囲気中で作業を行うことで、ピット内に不活性ガスが充填され、より信頼性の高いディスクを作製することができる。尚、ＢＤに適用する場合、レーザー波長４０５ｍｍ，樹脂屈折率約１．５、空気屈折率約１．０を考慮すれば、ピット深さは５０〜１５０ｎｍが好ましい。
【００３４】
更に保護層１４として厚さ５０μｍのポリカーボネートフィルムを貼り合せ、ディスク全体の厚さを１８０μｍとし、外径１１９ｍｍ、内径３０ｍｍに打抜き、フィルムディスク２とした。ＢＤに適用する場合、外径１１８〜１２０ｍｍ、内径２０〜４０ｍｍが好ましい。
【００３５】
一方、ホルダー３は、外形１２０ｍｍ、センターホール径１５ｍｍのポリカーボネイト又はポリエチレンテレフタレート、アクリル樹脂、紙等からなる基材プレート１５のリング状部１５ａの周囲に、アクリル系のエマルジョンから成る粘着剤を塗布して接着層１６として、全体の厚さ１．０２ｍｍとした。このホルダー３に、フィルムディスク２を装着することで、ＢＤの規格値を満足する寸法となり、一般的なＢＤドライブでの記録・再生が可能となる。
【図面の簡単な説明】
【００３６】
【図１】本発明の一実施形態における光ディスクを分解した状態の半断面斜視図である。
【図２】図1のフィルムディスクの平面図である。
【図３】図1の光ディスクを接着状態とした半断面斜視図である。
【図４】図１の光ディスクにおけるホルダーとクリーナーとを示す半断面斜視図である。
【図５】本発明の第2実施形態における光ディスクを示す半断面斜視図である。
【図６】本発明の第3実施形態における光ディスクを示す半断面斜視図である。
【図７】本発明の第４実施形態における光ディスクを示す半断面斜視図である。
【符号の説明】
【００３７】
１…光ディスク  ２・…フィルムディスク  ３・…ホルダー  ４・…センターホール  ５…クランプエリア  ６…情報記録領域  ７…リムエリア  １１…フィルム基材  １２…情報記録層  １３…反射層  １４…保護層  １５…基材プレート  １５ａ…リング状部  １６…接着層  ２１…クリーナー板  ２２…基材プレート  ２３…接着層  ３１…光ディスク  ３２…ホルダー  ３３…環状突起  ３４…フィルムディスク  ３５…環状凹部  ４１…光ディスク  ４２…ホルダー  ４３…環状壁部  ４４…突起  ４５…フィルムディスク  ５１…光ディスク  ５２…ホルダー  ５３…突起  ５４…フィルムディスク  ５５…凹部
【図１】
2007310995.tif 000003
【図２】
2007310995.tif 000004
【図３】
2007310995.tif 000005
【図４】
2007310995.tif 000006
【図５】
2007310995.tif 000007
【図６】
2007310995.tif 000008
【図７】
2007310995.tif 000009